(57)【特許請求の範囲】
【請求項１】
クリップ片と折曲部と取付孔を有した固定部とで構成されたクリップ本体の裏面の両側縁に側壁片を設け、固定部に、固定部の側壁片を内側に折曲げて底部とし、該底部に貫通孔を有した箱形形状部を設け、該箱形形状部の内部に貫通孔を有したプレートを挿着し、固定部の長手方向に直交する方向の幅と略同等の幅を有する凹部を有し、該凹部の底部に貫通した貫通孔を有するカップ部材を、凹部を箱形形状部に嵌合することにより箱形形状部に装着し、固定部の取付孔とプレートの貫通孔と固定部の底部の貫通孔とカップ部材の凹部の貫通孔を一直線上に連通させたクリップを、
軸体またはキャップ筒の頭端部の近傍に設けた角穴または切欠き部に固定部を挿着し、軸体またはキャップ筒の頭端部に配した頭栓部材と軸筒またはキャップ筒の内部に挿入した頭栓部材に螺着可能な内部材とにより、頭栓部材または内部材のどちらか一方に形成した軸部をクリップの固定部の取付孔、プレートの貫通孔、固定部の底部の貫通孔、カップ部材の凹部の貫通孔に挿通して頭栓部材と内部材を螺着することで頭栓部材と内部材間にクリップを配設し、クリップの固定部を頭栓部材側に付勢するようにばねを配したことを特徴とする筆記具用クリップの取付構造。
【発明の詳細な説明】
【技術分野】
【０００１】
本発明は、筆記具用クリップの取付構造に関する。
【背景技術】
【０００２】
筆記具用クリップの機能は、筆記具を机上等に置いた際の転がり防止や、ポケット等の布地をクリップと軸筒の表面間に差した際に、布地をクリップと軸筒の表面でしっかりと挟持し、携帯時におけるポケット等からの抜け落ちを防止する等の機能がある。
【０００３】
後者の機能はクリップにばね性をもたせることで得られるが、そのクリップにばね性をもたせるには、クリップの長手方向に延びたクリップ片を持ち上げるとクリップ片自体が撓み、元の形状に戻ろうとする力をクリップ片のばね性とする構造のものと、固定部をばねにより付勢し、クリップ全体が軸体またはキャップ筒の表面から離間する方向へ持ち上げようとした際の前記ばねの弾発力をクリップのばね性とした構造のものがある。クリップ自体が撓む構造のものにおいては、当然にクリップ片の肉厚を厚くしてしまうと撓まなくなり、薄くするとクリップ片が折れてしまうという問題がある。所望するクリップの挟持力を得ようとするには、クリップの形状や肉厚等の設計が必要であるが、所望した形状のクリップで所望するクリップの挟持力を得ようとすると困難な点がある。その反面、クリップ全体が軸体またはキャップ筒の表面から離間する方向へ持ち上がる構造のものは、軸体やキャップ筒へのクリップの取付構造が前記のものより複雑になるし、部品点数も増えるという問題があるが、所望するクリップの挟持力を所望する形状のクリップで得られ易いという利点があり、特に、万年筆等のように高価な筆記具に採用されている。
【０００４】
クリップ全体が軸体またはキャップ筒の表面から離間する方向へ持ち上がる筆記具用クリップの取付構造は、実開昭６２−７５９８２号公報等によりよく知られている。軸体またはキャップ筒の頭端部の近傍に設けた角穴または切欠き部に固定部を挿着し、軸体またはキャップ筒の頭端部に配した頭栓部材と軸筒またはキャップ筒の内部に挿入した頭栓部材に螺着可能な内部材とにより、頭栓部材または内部材のどちらか一方に形成した軸部をクリップの固定部の取付孔に挿通して頭栓部材と内部材を螺着することで、頭栓部材と内部材間にクリップを配設し、クリップの固定部の箱形形状部を頭栓部材側に付勢するようにばね（コイルスプリング）を配した構造である。ばねは、クリップに設けた玉部と軸筒の側面で被挟持物をしっかりと挟持するために、クリップの玉部を軸筒の側面に押圧させるもので、いわゆるクリップのばね性をもすためのものである。
【０００５】
したがって、前記のような構造における筆記具用クリップの形状としては、クリップ自体が撓む必要がないので、高級感を醸し出すために肉厚が厚いクリップを採用することが可能であるが、材料費が高くなることや、所望する形状への加工の困難性等の問題がある。といって、高価な筆記具に薄板状のクリップを取付けたのでは見栄えが悪い。そこで、肉厚が厚く見えかつさまざまな形状に形成可能な筆記具用クリップとして、実開昭５８−１１０４８６号公報に開示されているように、薄板状のクリップ片の両側縁に側壁片を設けた構造のクリップが提案され、各種の筆記具に取付けられている。
【０００６】
前記したような、軸体またはキャップ筒の頭端部の近傍に設けた角穴または切欠き部に固定部を挿着し、軸体またはキャップ筒の頭端部に配した頭栓部材と軸筒またはキャップ筒の内部に挿入した頭栓部材に螺着可能な内部材とにより、頭栓部材または内部材のどちらか一方に形成した軸部をクリップの固定部の取付孔に挿通して頭栓部材と内部材を螺着することで、頭栓部材と内部材間にクリップを配設した取付構造における筆記具用クリップでは、特に高価な筆記具においては、視認できるクリップの折曲部や固定部も同一の厚さとなるように、両側縁に側壁片を設ける必要がある。
【０００７】
しかし、前記筆記具用クリップを実際にキャップに取付けた際に、クリップの横ぶれが生じ易いという問題があることが判った。そこで原因を追求した結果、前記取付構造においては、頭栓部材または内部材のどちらか一方に形成した軸部をクリップの固定部の取付孔に挿通するために、クリップの横ぶれに対して固定部における側壁片が軸部に当接するが、側壁片はクリップの加工上の問題から肉厚は厚くないので撓んでしまい、クリップの横ぶれが大きくなることが要因の一つであることが判り、本発明に至った。
【特許文献１】実開昭６２−７５９８２号公報
【特許文献２】実開昭５８−１１０４８６号公報
【発明の開示】
【発明が解決しようとする課題】
【０００８】
本発明は、クリップ片と折曲部と取付孔を有した固定部とで構成され、クリップ本体の裏面の両側縁に側壁片を設けた筆記具用クリップを、クリップ片を持ち上げるとクリップ全体が軸体またはキャップ筒の表面から離間する方向へ持ち上がるように、軸体またはキャップ本体の頭端部に配した頭栓部材と軸筒またはキャップ筒の内部に挿入した頭栓部材に螺着可能な内部材とにより、頭栓部材または内部材のどちらか一方に形成した軸部をクリップの固定部の取付孔に挿通し、クリップの固定部を頭栓部材側に付勢するようにばねを配してなる取付構造において、取付けたクリップが軸体またはキャップ筒に対して横ぶれしないような取付構造を提案するものである。
【課題を解決するための手段】
【０００９】
本発明は、クリップ片と折曲部と取付孔を有した固定部とで構成されたクリップ本体の裏面の両側縁に側壁片を設け、固定部に、固定部の側壁片を内側に折曲げて底部とし、該底部に貫通孔を有した箱形形状部を設け、該箱形形状部の内部に貫通孔を有したプレートを挿着し、固定部の長手方向に直交する方向の幅と略同等の幅を有する凹部を有し、該凹部の底部に貫通した貫通孔を有するカップ部材を、凹部を箱形形状部に嵌合することにより箱形形状部に装着し、固定部の取付孔とプレートの貫通孔と固定部の底部の貫通孔とカップ部材の凹部の貫通孔を一直線上に連通させたクリップを、軸体またはキャップ筒の頭端部の近傍に設けた角穴または切欠き部に固定部を挿着し、軸体またはキャップ筒の頭端部に配した頭栓部材と軸筒またはキャップ筒の内部に挿入した頭栓部材に螺着可能な内部材とにより、頭栓部材または内部材のどちらか一方に形成した軸部をクリップの固定部の取付孔、プレートの貫通孔、固定部の底部の貫通孔、カップ部材の凹部の貫通孔に挿通して頭栓部材と内部材を螺着することで頭栓部材と内部材間にクリップを配設し、クリップの固定部を頭栓部材側に付勢するようにばねを配したことを特徴とする筆記具用クリップの取付構造である。
【００１０】
本発明においては、固定部に形成した箱形形状部の内部に貫通孔を有したプレートを挿着するが、好ましくはプレートが容易に箱形形状部内を摺動しないように挿着するのが良く、圧入状態でまたは接着剤等により固定して設ける。また、固定部に装着するカップ部材の形状について特に限定されないが、筆記具用クリップの固定部を頭栓部材側に付勢するようにばねを配するので、ばねで固定部の裏面を押圧するのに妨げにならないような形状にする必要がある。
【発明の効果】
【００１１】
本発明は前述したような取付構造により、クリップ片と折曲部と固定部の裏面の両側縁に側壁片を設けた筆記具用クリップを、クリップ片を持ち上げるとクリップ全体が軸体またはキャップ筒の表面から離間する方向へ持ち上がるように取付けた際に、筆記具用クリップの長手方向に対しての垂直方向の横ぶれを防止することができた。
【発明を実施するための最良の形態】
【００１２】
本発明は、軸体の内部に繰出機構等を有した筆記具の軸体に筆記具クリップを取付ける構造のものであり、キャップ本体に取付ける構造のものでもある。クリップ片を持ち上げるとクリップ全体が軸体またはキャップ筒の表面から離間する方向へ持ち上がるように、筆記具用クリップを軸体またはキャップ本体に配設する構造については、従来の取付構造と同様である。
【実施例】
【００１３】
本実施例を図面を用いて説明するが、本実施例ではキャップへの取付構造で、キャップ本体が合成樹脂製の内筒の外側に金属製の外筒を配した万年筆用のキャップとして説明するが、これに限定されるものではない。図１は、本実施例の、クリップ本体の固定部にプレートとカップ部材を装着した筆記具用クリップの横断面図である。図２は、図１の筆記具用クリップの側面図である。図３は、クリップ本体の固定部にプレートを挿入する前の状態を示す、横断面図である。図４は、図３におけるＡ−Ａ線部分の拡大断面図である。図５は、本実施例におけるカップ部材の拡大立体図である。図６は、本実施例の筆記具用筆記クリップが取付けられる、万年筆のキャップの側面の要部を示した図である。図７は、本実施例の筆記具用クリップの取付構造を示す、万年筆のキャップの縦断面図である。
【００１４】
実施例における筆記具用クリップ１は、図１〜図４に示すように、クリップ本体２が、クリップ片３と円形状の取付孔４を有した固定部５とを折曲部６を介して連接した形状で、クリップ片３と固定部５と折曲部６との裏面の両側縁に側壁片７を設けてある（図３を参照）。固定部５における両側の側壁片７ａ、７ｂの先端部７ａａ、７ｂａを内側に折曲げて箱形形状部８を設けてある。該箱形形状部８の底部９には、図４に示すように図の上下方向に延びた長円状の貫通孔１０を形成してある。箱形形状部８の先端部（図において下端部）８ａは開口してあり、前記長円状の貫通孔１０と同様な長円状の貫通孔１１を有した板状のプレート１２を、前記開口端部８ａより挿入して、貫通孔１１が固定部５の取付孔４と箱形形状部８の底部９に設けた貫通孔１０に連通するように配してある。図１または図３に示すように、プレート１２は、固定部５の裏面の壁面５ａと箱形形状部８を構成する側壁片７ａ、７ｂと底部９を構成する側壁片７ａａ，７ｂａとに当接し、前記裏面の壁面５ａと側壁片７ａ，７ｂと底部９の側壁片７ａａ，７ｂａで挟持されるように圧入してあり、容易に箱形形状部８内で移動することがないようにしてある。
【００１５】
図５に示すような、筆記具用クリップ１の固定部５の長手方向に直交する方向の幅と略同等の幅を有する凹部１３を有し、該凹部１３に貫通した貫通孔１４を有したカップ部材１５を、図１に示すように、貫通孔１３が固定部５の取付孔４、プレート１２の貫通孔１１および箱形形状部８の底部９の貫通孔１０に連通するようにして、凹部１３を箱形形状部８に嵌合して、箱形形状部８に装着してある。
【００１６】
本実施例の筆記具用リップ１の取付構造を示す万年筆用のキャップ２１は、図７に示すように、キャップ本体２２が合成樹脂製の内筒２２ａの外側に金属製の外筒２２ｂを配した構造のもので、頭端部２３側の側面には図６に示すように切欠部２４を設けてあり、該切欠部２４に固定部５を嵌合して前記筆記具用クリップ１を配してある。
【００１７】
内筒２２ａの頭端部２２ａａには内方へ突出した段部２５を設けてある。キャップ本体２２の頭端部２３には頭冠（頭栓部材）２６を配してあり、キャップ本体２２の内筒２２ａの内部に配した、先端に雄ねじ部２７を形成してある軸部２８を有したビス（内部材）２９が、軸部２８を筆記具用クリップ１の固定部５の取付孔４、プレート１２に設けた貫通孔１１、箱形形状部８の底部９に設けた貫通孔１０およびカップ部材１５に設けた貫通孔１４に挿入して、軸部２８の雄ねじ部２７を頭冠２６に形成した雌ねじ部３０にねじ嵌合して頭冠２６に取付けてある。
【００１８】
ビス２９は、軸部２８の後方に該軸部２８より大径な中径部３１ａと該中径部３１ａより大径な大径部３１ｂとで構成された収容部３１を設けてあり、収容部３１の大径部３１ｂが内筒２２ａの段部２５に衝接することで頭冠２６側への移動を抑止している。収容部３１の大径部３１ｂとクリップ本体２の固定部５の箱形形状部８の底部９との間にはコイルスプリング３２を設けてあり、前記筆記具用クリップ１を頭冠２６側に付勢してクリップ本体２の固定部５を頭冠２６に衝接し、クリップ片３の先端部１６が持ち上がる際の筆記具用クリップ１のばね性を前記コイルスプリング３２により得ている。
【００１９】
前方に有底状の小径な頭端部３３を有し、該頭端部３３より突出した突出部３４を設けた内キャップ３５が、頭端部３３を前記収容部３１に遊嵌して内筒２２ａ内に挿着してある。
【産業上の利用可能性】
【００２０】
本発明は、薄板状で両側縁に側壁片を設けた筆記具用クリップを、軸体やキャップ筒に頭栓部材と該頭栓部材にねじ嵌合する内部材とで、そのどちらか一方より突出した軸部をクリップに設けた取付孔に挿通して取付ける筆記具用クリップの取付構造に適用できる。
【図面の簡単な説明】
【００２１】
【図１】本実施例の、クリップ本体の固定部にプレートとカップ部材を装着した筆記具用クリップの横断面図である。
【図２】図１の筆記具用クリップの側面図である。
【図３】クリップ本体の固定部にプレートを挿入する前の状態を示す、横断面図である。
【図４】図３におけるＡ−Ａ線部分の拡大断面図である。
【図５】本実施例におけるカップ部材の拡大立体図である。
【図６】本実施例の筆記具用筆記クリップが取付けられる、万年筆のキャップの側面の要部を示した図である。
【図７】本実施例の筆記具用クリップの取付構造を示す、万年筆のキャップの縦断面図である。
【符号の説明】
【００２２】
１  筆記具用クリップ
２  クリップ片
４  取付孔
５  固定部
６  折曲部
７  側壁片
８  箱形形状部
１０、１１  貫通孔
１２  プレート
１３  凹部
１４  貫通孔
１５  カップ部材
２１  キャップ
２２  キャップ本体
２６  頭冠
２８  軸部
２９  ビス
３２  コイルスプリング
【図１】
0004960176.tif 000002
【図２】
0004960176.tif 000003
【図３】
0004960176.tif 000004
【図４】
0004960176.tif 000005
【図５】
0004960176.tif 000006
【図６】
0004960176.tif 000007
【図７】
0004960176.tif 000008